(57)【特許請求の範囲】
【請求項１】
駅にはＩＣカード乗車券リーダライタと二次元コード乗車券リーダを備えた共用型自動改札機を備え、前記共用型自動改札機に接続される乗車券情報伝送装置と、該乗車券情報伝送装置に接続されるネットワークと、該ネットワークに接続される乗車券情報管理サーバと、該乗車券情報管理サーバに接続される携帯情報伝送装置と、該携帯情報伝送装置に接続される伝送基地局と、前記二次元コード乗車券を表示できる利用者が携帯する携帯端末とを具備する二次元コードを用いたモバイル乗車券の改札処理システムにおいて、前記二次元コード乗車券が入場用の二次元コード乗車券と出場用の二次元コード乗車券と乗り継ぎ用の二次元コード乗車券からなることを特徴とする二次元コードを用いたモバイル乗車券の改札処理システム。
【請求項２】
駅にはＩＣカード乗車券リーダライタを備えたＩＣカード乗車券用自動改札機と、二次元コード乗車券リーダを備えた二次元コード乗車券用自動改札機とを併設し、前記ＩＣカード乗車券用自動改札機と前記二次元コード乗車券用自動改札機に接続される乗車券情報伝送装置と、該乗車券情報伝送装置に接続されるネットワークと、該ネットワークに接続される乗車券情報管理サーバと、該乗車券情報管理サーバに接続される携帯情報伝送装置と、該携帯情報伝送装置に接続される伝送基地局と、前記二次元コード乗車券を表示できる利用者が携帯する携帯端末とを具備する二次元コードを用いたモバイル乗車券の改札処理システムにおいて、前記二次元コード乗車券が入場用の二次元コード乗車券と出場用の二次元コード乗車券と乗り継ぎ用の二次元コード乗車券からなることを特徴とする二次元コードを用いたモバイル乗車券の改札処理システム。
【請求項３】
請求項１又は２記載の二次元コードを用いたモバイル乗車券の改札処理システムにおいて、前記利用者が前記二次元コード乗車券を購入すると、前記乗車券情報管理サーバが前記入場用の二次元コード乗車券を発行し、前記利用者が前記携帯端末に前記入場用の二次元コード乗車券を受信し、該入場用の二次元コード乗車券が表示された前記携帯端末のディスプレイを前記共用型自動改札機または二次元コード乗車券用自動改札機の二次元コード乗車券リーダライタにかざすことにより、前記共用型自動改札機または二次元コード乗車券用自動改札機を通過できるようにしたことを特徴とする二次元コードを用いたモバイル乗車券の改札処理システム。
【請求項４】
請求項１又は２記載の二次元コードを用いたモバイル乗車券の改札処理システムにおいて、前記乗車券情報管理サーバは、前記共用型自動改札機または二次元コード乗車券用自動改札機を通過した前記入場用の二次元コード乗車券が正規に利用されている場合に、前記出場用の二次元コード乗車券を前記携帯端末に発行するようにしたことを特徴とする二次元コードを用いたモバイル乗車券の改札処理システム。
【請求項５】
請求項３記載の二次元コードを用いたモバイル乗車券の改札処理システムにおいて、前記乗車券情報管理サーバは、前記共用型自動改札機または二次元コード乗車券用自動改札機を通過した前記入場用の二次元コード乗車券が正規に利用されている場合に、前記出場用の二次元コード乗車券を前記携帯端末に発行するようにしたことを特徴とする二次元コードを用いたモバイル乗車券の改札処理システム。
【発明の詳細な説明】
【技術分野】
【０００１】
本発明は、二次元コードを用いたモバイル乗車券の改札処理システムに関するものである。
【背景技術】
【０００２】
従来の磁気乗車券を用いた改札システムにおいては、磁気乗車券の発券、磁気乗車券システムのメンテナンスの必要があり、また、磁気乗車券は破損したり、紛失しやすいといった問題があるために改善が求められていた。
【０００３】
そこで、鉄道やバスなどの交通機関では、ＩＣカードを用いた電子乗車券の利用が広まっている。
【０００４】
また、昨今、携帯電話を用いた乗車券処理システムが種々提案されている（下記特許文献１〜５参照）。
【０００５】
下記特許文献１では、ＱＲ（Ｑｕｉｃｋ  Ｒｅｓｐｏｎｓｅ）コード（登録商標）からなるバーコードを用いた券情報処理システムが開示されている。
【０００６】
下記特許文献２では、利用者の携帯型端末を用いてチケットを提供することができるチケット管理方法が開示されている。
【０００７】
下記特許文献３では、通信網を介して携帯端末装置にチケットを発券するようにした入場管理方法が開示されている。
【０００８】
下記特許文献４では、チケット画像のコピーによる不正使用を防止するチケット販売装置が開示されている。
【０００９】
下記特許文献５では、携帯電話を含む電子乗車券における電子乗車券決済方法が開示されている。
【先行技術文献】
【特許文献】
【００１０】
【特許文献１】特開２００６−０５９２４９号公報
【特許文献２】特開２００４−２９５６４９号公報
【特許文献３】特開２００３−００６６８２号公報
【特許文献４】特開２００４−０９４４６８号公報
【特許文献５】特開２００４−２９５７１０号公報
【発明の概要】
【発明が解決しようとする課題】
【００１１】
上記したように、近年ＩＣカードを用いた乗車券システムが普及し、鉄道会社で使われるようになってきているが、ＩＣカードを持たない利用者も多いため、鉄道事業者は磁気式乗車券を併用して運用している。
【００１２】
この問題を解決するために、最近では二次元コードを利用した出改札システムの提案がなされている。しかしながら、二次元コード乗車券は券紙に印字した二次元コードの情報を用いているために、簡単にコピーすることができるという弱点を持っている。この弱点を解決するために、主に以下の二つの対策が既に提案されている。
【００１３】
（１）各駅の自動改札機をネットワークで接続し、発券した各二次元コード乗車券の情報を各自動改札機で共有することにより、重複使用をチェックし、不正使用を防止する。
【００１４】
（２）各駅の自動改札機をネットワークで接続しない (利用者が少ない地方都市圏の駅においては、高性能で高価な自動改札機を導入できないため、スタンドアロンで使用することを前提にする) 場合は、自駅内の自動改札機を通信回線によって接続し、通過した乗車券情報を共有することにより自駅内の重複使用を防止した上で、発券機で二次元コード乗車券を発行してから一定時間しか利用できないようにすることで、少しでも不正利用を防止する。
【００１５】
しかしながら、上記（１）については現在使用中の各乗車券の利用状況をすべての改札機で共有することが求められるために、各乗車券の情報を全改札機に配信できる高性能なネットワークと、使用中の乗車券の情報を保持できる改札機が必要となり、多額のコストがかかるという問題がある。
【００１６】
また、上記（２）については、券売機で乗車券を発券してから一定時間しか利用できないので、事前に乗車券を購入できずに、利用する直前で乗車券を購入しなければならないという問題が発生する。
【００１７】
本発明は、上記状況に鑑みて、コストを抑制し、しかも不正利用を防止できる二次元コードを用いたモバイル乗車券の改札処理システムを提供することを目的とする。
【課題を解決するための手段】
【００１８】
本発明は、上記目的を達成するために、
〔１〕二次元コードを用いたモバイル乗車券の改札処理システムにおいて、駅（１）にはＩＣカード乗車券リーダライタ（２Ａ）と二次元コード乗車券リーダ（２Ｂ）を備えた共用型自動改札機（２）を備え、前記共用型自動改札機（２）に接続される乗車券情報伝送装置（３）と、この乗車券情報伝送装置（３）に接続されるネットワーク（４）と、このネットワーク（４）に接続される乗車券情報管理サーバ（５）と、この乗車券情報管理サーバ（５）に接続される携帯情報伝送装置（６）と、この携帯情報伝送装置（６）に接続される伝送基地局（７）と、前記二次元コード乗車券（９）を表示できる利用者（１０）が携帯する携帯端末（８）とを具備する二次元コードを用いたモバイル乗車券の改札処理システムにおいて、前記二次元コード乗車券（９）が入場用の二次元コード乗車券と出場用の二次元コード乗車券と乗り継ぎ用の二次元コード乗車券からなることを特徴とする。
【００１９】
〔２〕二次元コードを用いたモバイル乗車券の改札処理システムにおいて、駅（１１）にはＩＣカード乗車券リーダライタ（１２Ａ）を備えたＩＣカード乗車券用自動改札機（１２）と、二次元コード乗車券リーダ（１３Ａ）を備えた二次元コード乗車券（２０）用自動改札機（１３）とを併設し、前記ＩＣカード乗車券用自動改札機（１２）と前記二次元コード乗車券用自動改札機（１３）に接続される乗車券情報伝送装置（１４）と、この乗車券情報伝送装置（１４）に接続されるネットワーク（１５）と、このネットワーク（１５）に接続される乗車券情報管理サーバ（１６）と、この乗車券情報管理サーバ（１６）に接続される携帯情報伝送装置（１７）と、この携帯情報伝送装置（１７）に接続される伝送基地局（１８）と、前記二次元コード乗車券（２０）を表示できる利用者（１０）が携帯する携帯端末（１９）とを具備する二次元コードを用いたモバイル乗車券の改札処理システムにおいて、前記二次元コード乗車券（２０）が入場用の二次元コード乗車券と出場用の二次元コード乗車券と乗り継ぎ用の二次元コード乗車券からなることを特徴とする。
【００２０】
〔３〕上記〔１〕又は〔２〕記載の二次元コードを用いたモバイル乗車券の改札処理システムにおいて、前記利用者（１０）が前記二次元コード乗車券を購入すると、前記乗車券情報管理サーバ（５，１６）が前記入場用の二次元コード乗車券を発行し、前記利用者（１０）が前記携帯端末（８，１９）に前記入場用の二次元コード乗車券を受信し、この入場用の二次元コード乗車券（９，２０）が表示された前記携帯端末（８，１９）のディスプレイを前記共用型自動改札機（２）または二次元コード乗車券用自動改札機（１３）の二次元コード乗車券リーダ（２Ｂ，１３Ａ）にかざすことにより、前記共用型自動改札機（２）または二次元コード乗車券用自動改札機（１３）を通過できるようにしたことを特徴とする。
【００２１】
〔４〕上記〔１〕又は〔２〕記載の二次元コードを用いたモバイル乗車券の改札処理システムにおいて、前記乗車券情報管理サーバ（５、１６）は、前記共用型自動改札機（２）または二次元コード乗車券用自動改札機（１３）を通過した前記入場用の二次元コード乗車券が正規に利用されている場合に、前記出場用の二次元コード乗車券を前記携帯端末（８、１９）に発行するようにしたことを特徴とする。
【００２２】
〔５〕上記〔３〕記載の二次元コードを用いたモバイル乗車券の改札処理システムにおいて、前記乗車券情報管理サーバ（５、１６）は、前記共用型自動改札機（２）または二次元コード乗車券用自動改札機（１３）を通過した前記入場用の二次元コード乗車券が正規に利用されている場合に、前記出場用の二次元コード乗車券を前記携帯端末（８、１９）に発行するようにしたことを特徴とする。
【発明の効果】
【００２３】
本発明によれば、以下のような効果を奏することができる。
【００２４】
（１）利用者は事前にモバイル乗車券を購入することができる。
【００２５】
（２）自駅内の改札機は乗車券情報を共有しているので、重複利用を防止することができる。
【００２６】
（３）ネットワークは必要になるが、通過したモバイル乗車券の情報を乗車券情報管理サーバに送信するだけでよいので、比較的簡易なネットワークでシステム構築ができる。
【００２７】
（４）改札機を通過する前の時間は任意であるが（直前に乗車券を購入する必要がない）、改札機を通過（入場）してから利用できる時間をチェックできるので、不正利用を抑止することができる。
【図面の簡単な説明】
【００２８】
【図１】本発明の第１実施例を示すモバイル乗車券の改札処理システムの模式図である。
【図２】本発明の第２実施例を示すモバイル乗車券の改札処理システムの模式図である。
【図３】本発明の第２実施例を示す改札処理の流れ（通常の入場・出場の場合）を示すフローチャートである。
【図４】本発明の第３実施例を示す改札処理の流れ（乗り継ぎ乗車券の場合）を示すフローチャートである。
【発明を実施するための形態】
【００２９】
本発明の二次元コードを用いたモバイル乗車券の改札処理システムは、駅にはＩＣカード乗車券リーダライタと二次元コード乗車券リーダを備えた共用型自動改札機を備え、前記共用型自動改札機に接続される乗車券情報伝送装置と、この乗車券情報伝送装置に接続されるネットワークと、このネットワークに接続される乗車券情報管理サーバと、この乗車券情報管理サーバに接続される携帯情報伝送装置と、この携帯情報伝送装置に接続される伝送基地局と、前記二次元コード乗車券を表示できる利用者が携帯する携帯端末とを具備する二次元コードを用いたモバイル乗車券の改札処理システムにおいて、前記二次元コード乗車券が入場用の二次元コード乗車券と出場用の二次元コード乗車券と乗り継ぎ用の二次元コード乗車券からなる。
【実施例】
【００３０】
以下、本発明の実施の形態について詳細に説明する。
【００３１】
図１は本発明の第１実施例を示すモバイル乗車券の改札処理システムの模式図である。なお、モバイル乗車券として、以下二次元コード乗車券を例に説明する。
【００３２】
この図において、１は駅、２はＩＣカード乗車券リーダライタ２Ａと二次元コード乗車券リーダ２Ｂとを備える共用型自動改札機、３はこの共用型自動改札機２に接続される乗車券情報伝送装置、４は乗車券情報伝送装置３に接続されるネットワーク、５はネットワーク４に接続される乗車券情報管理サーバ、６は乗車券情報管理サーバ５に接続される携帯情報伝送装置、７は伝送基地局、８は二次元コード乗車券９を表示できる利用者１０が携帯する携帯端末である。自明の事項であるので、実施例中の記載を省くが、携帯端末８と携帯情報伝送装置６間の通信は伝送基地局７を介して行う。
【００３３】
このように、この改札処理システムは、ＩＣカード乗車券リーダライタ２Ａと二次元コード乗車券リーダ２Ｂとを配置した共用型自動改札機３によりＩＣカード乗車券はＩＣカード乗車券リーダライタ２Ａで、二次元コード乗車券は、二次元コード乗車券リーダ２Ｂで処理できる。
【００３４】
図２は本発明の第２実施例を示すモバイル乗車券の改札処理システムの模式図である。なお、モバイル乗車券として、以下二次元コード乗車券を例に説明する。
【００３５】
この図において、１１は駅、１２はＩＣカード乗車券リーダライタ１２Ａを備えたＩＣカード乗車券用自動改札機、１３は二次元コード乗車券リーダ１３Ａを備えた二次元コード乗車券用自動改札機、１４はＩＣカード乗車券用自動改札機１２と二次元コード乗車券用自動改札機１３に接続される乗車券情報伝送装置、１５は乗車券情報伝送装置１４に接続されるネットワーク、１６はネットワーク１５に接続される乗車券情報管理サーバ、１７は乗車券情報管理サーバ１６に接続される携帯情報伝送装置、１８は伝送基地局、１９は二次元コード乗車券２０を表示できる利用者１０が携帯する携帯端末である。自明の事項であるので、実施例中の記載を省くが、携帯端末１９と携帯情報伝送装置１７間の通信は伝送基地局１８を介して行う。
【００３６】
このように、この改札処理システムは、ＩＣカード乗車券リーダライタ１２Ａを有するＩＣカード乗車券用自動改札機１２と、二次元コード乗車券リーダ１３Ａを有する二次元コード乗車券用自動改札機１３が個別に配置されており、利用者１０はその何れかを選択して、改札処理を行うことができる。
【００３７】
そこで、以下のような仕組みを導入することにより、二次元コード乗車券の不正利用を防止できる改札処理システムとすることができる。
【００３８】
（１）利用者１０は携帯端末１９を用いて、携帯情報伝送装置１７を介して乗車券情報管理サーバ１６にアクセスして事前に利用区間の二次元コード乗車券２０を購入することができる。
【００３９】
（２）利用者１０が携帯端末１９を使って二次元コード乗車券２０を購入すると、まず入場用の二次元コード乗車券２０が発行され、携帯端末１９のディスプレイに送信・表示される。これを二次元コード乗車券用自動改札機１３の二次元コード乗車券リーダ１３Ａにかざすことにより二次元コード乗車券用自動改札機１３を通過できる。
【００４０】
（３）二次元コード乗車券用自動改札機１３は、駅単位で乗車券情報伝送装置１４と接続されており、利用者１０の二次元コード乗車券２０の通過情報を他の自動改札機と共有している。これにより、同じ乗車券を自駅内の他の改札機で利用することを抑止する（自らの改札機も当然であるが重複使用のチェックを行う）。
【００４１】
（４）乗車券情報伝送装置１４は、二次元コード乗車券用自動改札機１３からの二次元コード乗車券の使用状況の情報をネットワーク１５経由で乗車券情報管理サーバ１６に伝送する。
【００４２】
（５）乗車券情報管理サーバ１６は、携帯端末１９への二次元コード乗車券２０の発行および二次元コード乗車券用自動改札機１３からの乗車券使用状況の情報を収集しており、乗車券に関する情報を管理するとともに、携帯情報伝送装置１７を介して入場用および出場用の二次元コード乗車券を利用者１０に発行する。
【００４３】
（６）利用者１０が乗り継ぎを行う場合は、出場時に二次元コード乗車券用自動改札機１３を通過すると、乗車券情報管理サーバ１６より、乗り継ぎ用の入場用二次元コード乗車券２０を発行する。
【００４４】
次に、本発明の第２実施例を示す改札機の処理の流れ（通常の入場・出場の場合）について説明する。ここでは、通常の同一事業者内・同一交通手段内における利用者の入場から出場までの処理の流れを説明する。
【００４５】
図３は本発明の第２実施例を示す改札処理の流れ（通常の入場・出場の場合）を示すフローチャートである。
【００４６】
（１）携帯情報伝送装置１７を介し、利用者１０は携帯端末１９を使って乗車券情報管理サーバ１６にアクセスし、事前に利用区間の二次元コード乗車券２０を購入し、入場用の二次元コード乗車券２０の発行を受ける（ステップＳ１）。
【００４７】
（２）利用者１０が入場用の二次元コード乗車券２０が表示された携帯端末１９をかざして二次元コード乗車券用自動改札機１３を通過すると、乗車券情報伝送装置１４を介して、二次元コード乗車券用自動改札機１３は通過した二次元コード乗車券２０の情報を乗車券情報管理サーバ１６に送信する（ステップＳ２）。
【００４８】
（３）乗車券情報管理サーバ１６は、二次元コード乗車券２０が正規に利用されているかどうかをチェックする（ステップＳ３）。正規利用の場合は、出場用の二次元コード乗車券２０を発行し、携帯情報伝送装置１７を介して携帯端末１９に送信する（ステップＳ４）。不正使用（例えば、重複使用）の場合は、不正使用であることを利用者１０の携帯端末１９に通知し、出場用の二次元コード乗車券２０は発行しない（ステップＳ５）。
【００４９】
（４）正規の利用者は、出場用の二次元コード乗車券２０を携帯端末１９で受信し、二次元コード乗車券２０が表示された携帯端末１９を二次元コード乗車券用自動改札機１３にかざして出場する（ステップＳ６）。このとき、二次元コード乗車券用自動改札機１３は二次元コード乗車券２０の有効性（区間判定、日時判定など）をチェックするだけでなく、正規の時間内で利用したかどうかをチェックし、所定の時間内に有効な乗車券を利用しているのであれば、正規の利用者として通過を許可する。また、後述する第３実施例で説明するが、乗車券情報を乗車券情報管理サーバ１６へ送信し、二次元コード乗車券が乗り継ぎ乗車券であるか否かのチェックも行う。
【００５０】
（５）不正利用者（例えば、重複使用で入場した利用者）は、利用者の携帯電話に不正利用である旨が通知されるのみで出場用の二次元コード乗車券２０が発行されないので、自動改札機を使って駅１１から出ることが困難となり、係員窓口で処理（精算等）を行うことになるので、不正利用を抑止することができる。
【００５１】
図４は本発明の第３実施例を示す改札処理の流れ（乗り継ぎ乗車券の場合）を示すフローチャートである。
【００５２】
ここでは、列車や路面電車、バスなど各々に乗り継ぐ時など、異なる事業者間・異なる交通手段間で乗り継ぎにより運賃の割引が適用になる乗り継ぎ乗車券の発行に本発明を適用した場合について説明する。なお、乗り継ぎ乗車の場合は、券売機で乗り継ぎの指定をして目的の駅まで事前に切符を購入するものとする（この場合、別々に切符を購入するより安価な金額で切符を購入できる）。
【００５３】
図４のフローチャートに示すように、本発明では以下のように乗り継ぎ時の改札処理を行う。
【００５４】
（１）携帯情報伝送装置１７を介し、利用者１０は携帯端末１９を使って、乗車券情報管理サーバ１６にアクセスし、事前に乗り継ぎを指定して利用区間の二次元コード乗車券２０を購入し、携帯端末１９に入場用の二次元コード乗車券２０の発行を受ける（ステップＳ１１）。
【００５５】
（２）第２実施例のＳ２〜Ｓ５の処理を行う（ステップＳ１２）
（３）利用者１０が出場用の二次元コード乗車券２０が表示された携帯端末１９をかざして二次元コード乗車券用自動改札機１３を通過して出場すると、二次元コード乗車券用自動改札機１３は、乗車券情報伝送装置１４を介して通過した二次元コード乗車券２０の情報を乗車券情報管理サーバ１６に送信する（ステップＳ１３）。
【００５６】
（４）乗車券情報管理サーバ１６は通過した二次元コード乗車券２０は乗り継ぎ乗車券であるか否かをチェックする（ステップＳ１４）。
【００５７】
（５）乗り継ぎ乗車券である場合、乗車券情報管理サーバ１６は乗り継ぎ用の二次元コード乗車券２０を発行し、携帯情報伝送装置１７を介して利用者１０の携帯端末１９に乗り継ぎ用の二次元コード乗車券を送信する（ステップＳ１５）。
【００５８】
（６）利用者１０は乗り継ぎ用の二次元コード乗車券２０を使って乗り継ぎ先の交通手段に乗車する（ステップＳ１６）。
【００５９】
なお、この乗り継ぎ用乗車券を使って乗車した時にも、この乗り継ぎ用乗車券に対する出場用乗車券が発行され、上記したステップＳ３〜ステップＳ６の手順で出場できる。
【００６０】
本発明によれば、以下のような効果がある。
【００６１】
（１）利用者は事前にモバイル乗車券を購入することができる。
【００６２】
（２）自駅内の改札機は乗車券情報を共有しているので、重複利用を防止することができる。
【００６３】
（３）ネットワークは必要になるが、通過したモバイル乗車券の情報を乗車券情報管理サーバに送信するだけなので、比較的簡易なネットワークでシステム構築ができる。
【００６４】
（４）改札機を通過する前の時間は任意であるが（直前に乗車券を購入する必要がない）、改札機を通過（入場）してから利用できる時間および乗り継ぎ時間をチェックできるので、不正利用を抑止することができる。
【００６５】
上記した２つの実施例に示した以外に、以下のようなバリエーションが考えられる。
【００６６】
（１）乗車券としては、二次元コードの代わりにカラーコードやバーコードを用いても良い。
【００６７】
（２）乗車券を購入する際はＷｅｂページ上の購入画面から購入するが、購入した乗車券（入場用・出場用）の表示方法としては、指定のＷｅｂページを表示する方法と、二次元コード乗車券のイメージをメールで送信する方法などが考えられる。
【００６８】
なお、本発明は上記実施例に限定されるものではなく、本発明の趣旨に基づき種々の変形が可能であり、これらを本発明の範囲から排除するものではない。
【産業上の利用可能性】
【００６９】
本発明の二次元コードを用いたモバイル乗車券の改札処理システムは、コストを抑制し、しかも不正利用を防止できる二次元コードを用いたモバイル乗車券の改札処理システムとして利用可能である。
【符号の説明】
【００７０】
１，１１    駅
２    共用型自動改札機
２Ａ，１２Ａ    ＩＣカード乗車券リーダライタ
２Ｂ，１３Ａ    二次元コード乗車券リーダ  
３，１４    乗車券情報伝送装置
４，１５    ネットワーク
５，１６    乗車券情報管理サーバ
６，１７    携帯情報伝送装置
７，１８    伝送基地局
８，１９    携帯端末
９，２０    二次元コード乗車券
１０    利用者
１２    ＩＣカード乗車券用自動改札機
１３    二次元コード乗車券用自動改札機
【図３】
0005763001.tif 000002
【図４】
0005763001.tif 000003
【図１】
0005763001.tif 000004
【図２】
0005763001.tif 000005